(57)【要約】【課題】貨物の積み降ろし作業自体はもとより、それに付随する諸作業の負担を軽減することともに、公道を適法に移動することができる車両積載式荷台を提供する。【解決手段】車両積載式荷台１０は、積荷台１２と、積荷台１２の上方に向けて延びる支柱１４と、支柱１４に対して変位可能に取り付けられた腕木１６と、腕木１６に対して伸縮可能に取り付けられた脚１８とを備え、腕木１６が、積荷台１２を車両に積載して運搬するときの位置と積み降ろしするときの位置とに変位可能である。【選択図】図１
2015020638.tif 000002
【特許請求の範囲】
【請求項１】
積荷台と、
前記積荷台の上方に向けて延びる支柱と、
前記支柱に対して変位可能に取り付けられた腕木と、
前記腕木に対して伸縮可能に取り付けられた脚とを備え、
前記腕木が、前記積荷台を車両に積載して運搬するときの位置と、前記積荷台を車両に対して積み降ろしするときの位置とに変位可能であることを特徴とする、
車両積載式荷台。
【請求項２】
前記腕木が、前記支柱の周りに回動することを特徴とする、
請求項１に記載の車両積載式荷台。
【請求項３】
前記腕木が中空部を備え、前記脚が前記中空部に挿嵌されていることを特徴とする、
請求項１または２に記載の車両積載式荷台。
【発明の詳細な説明】
【技術分野】
【０００１】
本発明は、車両に積載して運搬することができる荷台に関する。
【背景技術】
【０００２】
例えば、トラック等の荷台付き車両を使って貨物を運搬する場合、仕出地において荷積み作業を行う間は車両を動かすことはできない。また仕向地においても荷降ろし作業中は同様に車両を動かすことはできない。このような貨物の積み降ろしに要する時間は運送業者にとっては無駄な待機時間であることから、可及的速やかに積み降ろし作業を完了させたいという強い要望がある。
【０００３】
このような要望に応えるための技術的提案はこれまでにも多くなされている。例えば、特許文献１には、貨物運搬用のコンベアと昇降台を併用して貨物の積み降ろし作業の省力化、高効率化を図った装置が記載されてる。また特許文献２には、クレーンを用いることなくシェルタを積み降ろしするためにシェルタに機械式昇降脚を取り付けた装置が記載されている。
【先行技術文献】
【特許文献】
【０００４】
【特許文献１】特開２００２−１９３４５４号公報
【特許文献２】実開平５−３７７８２号公報
【発明の概要】
【発明が解決しようとする課題】
【０００５】
特許文献１に記載された装置の場合、コンベアと昇降台の設置および除去に時間と労力を要するだけではなく、これらを保管するための場所や運搬するための車両が必要となり、積み降ろし作業以外の負担が大きくなるという欠点がある。
【０００６】
特許文献２に記載された装置の場合、シェルタ自体に昇降脚が付属しているため、車両を移動させることによりシェルタの積み降ろしを行うことができるという利点がある。しかし、昇降脚が車両の幅を超える位置に固定されているため、そのままでは公道を移動することができない。
【０００７】
本発明は、これらの課題を解決するためになされたものであり、貨物の積み降ろし作業自体はもとより、それに付随する諸作業の負担を軽減することともに、公道を適法に移動することができる車両積載式荷台を提供することを目的としている。
【課題を解決するための手段】
【０００８】
本発明は、第１の態様として、積荷台と、前記積荷台の上方に向けて延びる支柱と、前記支柱に対して変位可能に取り付けられた腕木と、前記腕木に対して伸縮可能に取り付けられた脚とを備え、前記腕木が、前記積荷台を車両に積載して運搬するときの位置と、前記積荷台を車両に対して積み降ろしするときの位置とに変位可能であることを特徴とする車両積載式荷台を提供する。
【０００９】
第２の態様として、前記腕木が、前記支柱の周りに回動することを特徴とする車両積載式荷台を提供する。
【００１０】
第３の態様として、前記腕木が中空部を備え、前記脚が前記中空部に挿嵌されていることを特徴とする車両積載式荷台を提供する。
【発明の効果】
【００１１】
本発明の第１の態様の車両積載式荷台においては、腕木の位置を変えることにより簡単に積み降ろし作業を行うことができることから、特別な技能等を身につけていない者でも作業を行うことができ、また待機時間を極力短縮することができるようになる。
【００１２】
本発明の第２の態様の車両積載式荷台においては、腕木を支柱の周りに回して動かすという簡単な動作で積荷台を車両に積載して運搬するときの位置と車両に対して積み降ろしするときの位置とに変位させることができる。また腕木の角度を変えることで脚の間隔を変更することができるため、幅の異なる様々な車両にも柔軟に対応することができる。
【図面の簡単な説明】
【００１３】
【図１】車両積載式荷台の積み降ろし時の状態を示す（ａ）平面図と（ｂ）正面図
【図２】車両積載式荷台の運搬時の状態を示す（ａ）平面図と（ｂ）正面図
【図３】車両積載式荷台の積み降ろし時の車両の平面図
【図４】車両積載式荷台の積み降ろし時の車両の背面図
【図５】車両積載式荷台を積載した車両の平面図
【図６】車両積載式荷台を積載した車両の背面図
【発明を実施するための形態】
【００１４】
本発明の実施の形態について図面を参照しながら説明する。図１および図２に示すように、車両積載式荷台１０（以下、荷台１０という。）は、積荷台１２と、支柱１４と、腕木１６と、脚１８と、油圧システムとによって構成さている。
【００１５】
積荷台１２はトラック等の荷台付き車両の荷台の形状に相似し、車両の荷台に収まるように縦、横、高さの寸法が定められている。積荷台１２には適宜リブ等を設け、重量物を積載できるように剛性を強化する。積荷台１２の４箇所の隅にはそれぞれ支柱１４が取り付けられている。４本の支柱１４は全て同じ長さであり、鉛直方向に向けて平行に延びている。各支柱１４の先端はそれぞれ隣り合う支柱１４の先端と補強部材２２によって連結され、強固な枠構造を形成している。
【００１６】
各支柱１４にはそれぞれ腕木１６が取り付けられている。腕木１６は支柱１４と平行な縦部材と縦部材の上下両端をそれぞれ支柱１４に連結する横部材で構成されている。横部材の先端は支柱１４の外周を環状に囲むように取り付けられている。これにより腕木１６は支柱１４を中心として回動可能になっている。腕木１６の位置は安全装置の作用によって２箇所で固定できるようになっている。
【００１７】
縦部材には下端が開口する縦孔が設けられている。各腕木１６の縦孔にはそれぞれ脚１８が挿嵌されている。脚１８は縦孔に沿って直線移動することができ、これにより腕木１６に対して伸縮可能になっている。
【００１８】
油圧システムは、補強部材２２に取り付けられた油圧ポンプ２４と、各腕木１６に設けられた油圧アクチュエータと、これらを繋ぐ油圧ホース２８と、操作盤３０とで構成されている。油圧ポンプ２４は家庭用電源や車両電源等から電力の供給を受けることができる。操作盤３０の操作により油圧アクチュエータが作動し、脚１８が伸縮動作を行う。脚１８を伸ばすと積荷台１２が上昇し、逆に脚１８を縮めると積荷台１２が下降する。
【００１９】
荷台１０の使用方法について説明する。図３および図４は荷台１０を車両４０に対して積み降ろしするときの状態を示し、図５および図６は荷台１０を車両４０に積載して運搬するときの状態を示している。
【００２０】
荷台１０を積み降ろしするときには、腕木１６を積荷台１２の外側を向くように動かし、左右の腕木１６の間隔を広げる。腕木１６は手動にて動かし、所定の位置にきたら安全装置を作動させて固定する。腕木１６が固定されたら、油圧システムを作動させ、脚１８を伸ばして積荷台１２を上昇させる。この腕木１６の間隔を広げ、脚１８を伸ばす動作により、積荷台１２の下には車両４０の荷台（アオリ）４２が出入りできるスペースが生まれる。
【００２１】
積荷台１２の下のスペースに車両４０を進入させ、積荷台１２の真下に荷台４２がくるように位置合わせしたら、再び油圧システムを作動させ、脚１８を縮めて積荷台１２を下降させる。積荷台１２が車両の荷台に接触した後も油圧システムを作動させ続け、さらに脚１８を縮める。脚１８を完全に縮めたら腕木１６の安全装置を解除し、積荷台１２の内側を向くように動かし、再び安全装置を作動させてその位置で固定する。
【００２２】
以上の一連の動作により、図５および図６にしめすように、荷台１０は車両４０の荷台４２に積載された状態となり、積荷とともに目的地まで搬送することができる。荷降ろしの場合には、同様に腕木１６の間隔を広げ、脚１８を伸ばす動作により、積荷台１２の下にスペースを作り、積荷台１２の下から車両４０を移動させる。
【００２３】
積荷台１２に対する荷物の積み降ろしは、クレーンやパワーショベル、フォークリフト等の重機を用いて行ったり、手作業で行ったりすることができる。従来、車両の荷台に荷物を直に積む場合には、積み降ろしに要する時間は車両を本来の目的である運搬に使用することができない無駄な拘束時間となり、物流効率の低下の一つの原因となっていた。これに対しては、荷物の積み降ろしに荷台１０を用いることにより、積み降ろしに要する作業負担が軽減され、車両の拘束時間を大幅に短縮することが可能になる。
【００２４】
前述の荷台１０において、腕木１６の可動部分の構造および脚１８の伸縮部分の構造は他の形態に変更することも可能である。腕木１６ついては、前述した回動式の他にスライド式や折りたたみ式などの構造を採用することにより、荷台１０を車両に積載して運搬するときの位置と車両に対して積み降ろしするときの位置とに変位可能に構成することができる。また脚１８の伸縮については、前述した油圧システムの他に空圧システムやボールねじ式などの構造を採用することも可能である。
【符号の説明】
【００２５】
１０  車両積載式荷台
１２  積荷台
１４  支柱
１６  腕木
１８  脚
２４  油圧ポンプ
２８  油圧ホース
４０  車両
４２  荷台（アオリ）
【図１】
2015020638.tif 000003
【図２】
2015020638.tif 000004
【図３】
2015020638.tif 000005
【図４】
2015020638.tif 000006
【図５】
2015020638.tif 000007
【図６】
2015020638.tif 000008